(57)【特許請求の範囲】
【請求項１】
ユーザが持つ通信端末とラジオ放送局に備えられた番組自動生成システムは、インターネット回線を経由して接続自在であること、
前記番組自動生成システムでは、前記ユーザが持つ通信端末からの特定に基づき、放送局側に備えたジングル、写真、コメント、演出データを含むリクエスト番組を生成するための番組構成要素を保持したシステムサーバ内から、前記ユーザが特定した前記番組構成要素を前記番組自動生成システム内にとり込み、この番組自動生成システム上で、１本のリクエスト放送番組を制作する、
前記ラジオ放送局は、前記番組自動生成システムで制作された番組を、考査の上自己のリクエスト番組の時間帯に放送する、
ことを特徴とするラジオ番組自動生成及びその放送方法。
【発明の詳細な説明】
【０００１】
【発明の属する技術分野】
本発明は、ラジオ放送において、ユーザ（視聴者）が制作したリクエスト番組を原則としてそのまま放送する方法に関し、更に詳しくは、従来の音楽のリクエスト番組又はリクエストコーナにおいては、ユーザがハガキ、電話、ＦＡＸ等を用いて曲のリクエストを行っているだけのものを、リクエスト番組自体又は番組中のリクエストコーナ自体をユーザに提供し、ユーザは、与えられた時間内において、１本のリクエスト番組の制作を行い、放送局は、これを原則としてそのまま放送する所謂曲のリクエストだけでなく、１本のリクエスト番組そのものをユーザが制作し、これをリクエスト番組として放送するラジオ放送方法に関するものである。また、ＢＳデジタルラジオ放送に於いては、画像の制作も同時にリクエスト番組の制作作業の一部とする場合があることを特徴とする放送方法に関するものである。
【０００２】
【従来の技術】
ラジオ、テレビ番組を含めて、ユーザのリクエストに基づいて番組を構成する所謂リクエスト番組と称されるものは多数ある。
このようなリクエスト番組は、ユーザから寄せられたハガキ、電話、ＦＡＸ等を基に構成すると共に、リクエスト曲に対するユーザの簡単な想い出等も紹介することもある。
【０００３】
【発明が解決しようとする課題】
しかし、何れのリクエスト番組の場合も、リクエスト曲自体の数は大変多く、このすべてを放送することは時間的に無理であることから、放送するリクエスト曲の選定は局側である。したがって、リクエスト曲がボツになることの方が多い。また、リクエスト番組の構成も局側で行っていることから、１本の番組全体について、ユーザがすべて満足する場合は少ない。
【０００４】
本発明は、斯る点に鑑みて提供されるものであって、ユーザ個人の好みに応じて、リクエスト番組において放送する曲や曲紹介等の語りの部分及びＢＳデジタルラジオ放送に於いては画像も含めて、番組構成のすべてをユーザが制作し、これを放送局は原則としてそのまま放送する、所謂番組全体がユーザのリクエストで構成されるラジオ放送番組自動生成及びその放送方法を提供するのが目的である。
【０００５】
【課題を解決するための手段】
上記目的を達成するため、請求項１に記載のラジオ番組自動生成及びその放送方法においては、ユーザが持つ通信端末とラジオ放送局に備えられた番組自動生成システムは、インターネット回線を経由して接続自在であること、
前記番組自動生成システムでは、前記ユーザが持つ通信端末からの特定に基づき、放送局側に備えたジングル、写真、コメント、演出データを含むリクエスト番組を生成するための番組構成要素を保持したシステムサーバ内から、前記ユーザが特定した前記番組構成要素を前記番組自動生成システム内にとり込み、この番組自動生成システム上で、１本のリクエスト放送番組を制作する、
前記ラジオ放送局は、前記番組自動生成システムで制作された番組を、考査の上自己のリクエスト番組の時間帯に放送する、
ことを特徴とするものである。
【０００６】
【発明の実施の形態】
本発明が適用されるラジオ放送は、主としてＢＳデジタルラジオ放送であるが、地上波ＡＭ、ＦＭ、短波及び地上波テレビ等であって、同時にラジオ放送を行うテレビ放送にも適用が可能である。
ユーザがリクエスト番組を制作するために必要な曲、効果音例えば拍手音、歓声、その他ジングル、写真、コメント、演出データ等、番組の構成要素は、局側に設置した番組自動生成システム内のサーバに用意されている。また、番組の構成は、任意とするが、色々な構成例があらかじめ用意されていて、ユーザは、この構成例の中から任意に選択し、サーバ上で特定又はサーバから取り込んでリクエスト番組を制作することができる。あるいは、システムを利用して作曲等を行い、これを番組中に取り組むことも可能である。
【０００７】
制作された番組は、そのまま生放送することが原則である。但し、番組内容については、考査が必要となるため、多少の時間遅れとなる。勿論、局側の番組編成上、数週間遅れとなることもある。
番組の中にＣＭを入れる場合、ある条件のもとに、ユーザが番組中に挿入するようにしても良いし、このＣＭのみは局側で挿入するようにしてもよい。
【０００８】
ＢＳデジタルラジオ放送番組の制作と放送に際しては、その特性を活かし、画像等を同時に取り込んで放送するようにしてもよい。この画像用の写真、フィルム等は、局側に用意されている例えば映像用サーバで特定又はサーバから取り込むようにする。
【０００９】
【実施例】
図１は、請求項１に記載した本願発明を実施するシステムの概念図である。
符号の１は通信端末の一例としてのインターネット端末であって、このインターネット端末１としてはゲーム機１ａ、パソコン１ｂ、携帯電話１ｃ等が考えられるが、勿論これは例示であって、インターネット通信が可能なものはすべてこの端末に含まれる。又、通常の有線又は無線の公衆電話回線の端末（電話）もシステム上許容されている場合には、通信端末として用いることができる。
【００１０】
２は局側に用意されているインターネット上（又はゲームソフト上）の番組制作システムであって、ここにはシステムサーバ３が用意されていて、このシステムサーバ３には、ジングル、写真、コメント、演出データ等が入っている。又、番組制作システム２には番組制作について、初心者の場合と、経験者とでは要領等の理解に差があるため、ユーザはこのどちらかを選択することにより、番組制作上の手助けをシステム上で受けることができるメニュー２ａ、２ｂが用意されている。
【００１１】
４は番組自動生成システムであって、ユーザがインターネット端末１を用いて放送局のウェブページにアクセスし、リクエスト番組制作メニューを選択すると、所要のクリックを繰り返したのち、この番組自動生成システム４に到達する。ユーザは、この番組自動生成システムで、前記システムサーバ３及び曲サーバ５から画像を含む番組構成上の情報(要素)を特定しながら、１本の番組を仕上げる。この放送番組は、一旦考査セクション６で考査が行われ、パスした番組内容についてのみ放送局７から衛星８を経由して放送され、一般のＢＳＴＶでこのラジオ放送と、画像が送られて来ている場合には、任意にこの画像を視聴することができる。
【００１２】
次に、インターネット網を用いて行うリクエスト番組の制作と放送に至るまでのフローを説明する。
先ずユーザがインターネット端末を用いて放送局に用意されている番組自動生成システム４にアクセスすると、ステップ１の画面が端末に表示され、順に決定とクリックを繰り返し、ステップ１１に至る。その後、ステップ１２〜１７を経て放送に供される。
この具体的なフローを次に説明する。
〈以下余白〉
0004242054.tif 000002
0004242054.tif 000003
0004242054.tif 000004
0004242054.tif 000005
0004242054.tif 000006
【００１３】
【発明の効果】
本発明は以上のように、ユーザがリクエスト番組又はリクエストコーナ１本の構成、選曲等のすべてを自己のセンスで制作し、これを原則としてそのまま放送するものである。この結果、ユーザの関心を呼び、リクエスト番組又はコーナとしては画期的なものとなる。
【００１４】
また、このように、ユーザが自由に作れるリクエスト番組又はリクエストコーナを提供することにより、放送に関心を持つ人にとってはまたとない番組制作の機会の提供を受けることになり、社会的な意義もある。
また、放送局では、番組制作のためのコストを削減することができる。
【図面の簡単な説明】
【図１】  図１は本願発明を実施するためのシステムの概念図
【符号の説明】
１  インターネット端末
２  放送局側に用意されている番組制作システム
３  システムサーバ
４  番組自動生成システム
５  曲サーバ
６  考査
７  放送局
８  衛星
９  ＢＳデジタルテレビ
【図１】
0004242054.tif 000007